(57)【要約】【課題】光ピックアップがガイド軸に対して振動するのを抑制することができる光ディスク装置を提供する。【解決手段】外周面に螺旋状に延びる凹部２０を有するリードスクリュー１８と、リードスクリュー１８を回転させるステッピングモータ１６と、リードスクリュー１８に対して略平行に延びる第１のガイド軸２２と、第１のガイド軸２２に沿って移動可能な光ピックアップ２６と、光ピックアップ２６に取り付けられ、凹部２０に嵌め合わされた凸部４８を有するラック部３６と、ラック部３６に設けられ、第１のガイド軸２２に押し当てられる板バネ４６と、を備え、光ピックアップ２６は、リードスクリュー１８が回転する際に凸部４８が凹部２０に沿って移動することにより、第１のガイド軸２２に沿って移動する。【選択図】図４
2014146389.tif 000002
【特許請求の範囲】
【請求項１】
外周面に螺旋状に延びる凹部を有するリードスクリューと、
前記リードスクリューを回転させる駆動源と、
前記リードスクリューに対して略平行に延びるガイド軸と、
前記ガイド軸に沿って移動可能な光ピックアップと、
前記光ピックアップに取り付けられ、前記凹部に嵌め合わされた凸部を有するラック部と、
前記ラック部に設けられ、前記ガイド軸に押し当てられる板バネと、を備え、
前記光ピックアップは、前記リードスクリューが回転する際に前記凸部が前記凹部に沿って移動することにより、前記ガイド軸に沿って移動する
光ディスク装置。
【請求項２】
前記板バネは、前記ガイド軸に対して傾斜して延びている
請求項１に記載の光ディスク装置。
【請求項３】
前記板バネの少なくとも前記ガイド軸に接触される部位は、樹脂で形成されている
請求項１又は２に記載の光ディスク装置。
【請求項４】
前記ラック部及び前記板バネは、樹脂の一体成形により形成されている
請求項３に記載の光ディスク装置。
【請求項５】
前記ラック部は、接続部を介して前記光ピックアップに取り付けられ、
前記板バネは、前記ガイド軸を挟んで前記接続部と反対側に配置されている
請求項４に記載の光ディスク装置。
【発明の詳細な説明】
【技術分野】
【０００１】
本発明は、光ディスクに記録された情報の再生又は光ディスクへの情報の記録を行うための光ディスク装置に関する。
【背景技術】
【０００２】
従来から、光ディスクに記録された情報の再生又は光ディスクへの情報の記録を行うための光ディスク装置が用いられている（例えば、特許文献１参照）。この光ディスク装置には、光ディスクに記録された情報の読み出し又は光ディスクへの情報の書き込みを行うための光ピックアップが設けられている。光ディスク装置には、さらに、光ピックアップを光ディスクに対して相対的に移動させるための駆動機構が設けられている。
【０００３】
このような駆動機構の一つとして、リードスクリューの回転運動を光ピックアップの直線運動に変換するリードスクリュー方式の駆動機構がある。このリードスクリュー方式の駆動機構では、外周面に螺旋状に延びる凹部を有するリードスクリューと、当該凹部に嵌め合わされた凸部を有するラック部とが用いられる。リードスクリューは、ステッピングモータの出力軸に取り付けられている。ラック部は、光ピックアップに取り付けられている。リードスクリューが回転することにより、ラック部の凸部が凹部に沿って移動する。これにより、光ピックアップがガイド軸に沿って直線的に移動する。
【先行技術文献】
【特許文献】
【０００４】
【特許文献１】特開平１１−１８５４０９号公報
【発明の概要】
【発明が解決しようとする課題】
【０００５】
しかしながら、上述した従来の光ディスク装置では、次のような課題が生じる。光ディスクが偏心している場合には、光ディスクが比較的高速で回転することによって、光ピックアップがガイド軸に対して振動するおそれがある。これにより、光ピックアップの電気的性能（読み取り性能及び書き込み性能等）が低下するとともに、ビビリ音が発生するという課題が生じる。
【０００６】
本発明は、上述した課題を解決しようとするものであり、その目的は、光ピックアップがガイド軸に対して振動するのを抑制することができる光ディスク装置を提供することである。
【課題を解決するための手段】
【０００７】
上記目的を達成するために、本発明の一態様に係る光ディスク装置は、外周面に螺旋状に延びる凹部を有するリードスクリューと、前記リードスクリューを回転させる駆動源と、前記リードスクリューに対して略平行に延びるガイド軸と、前記ガイド軸に沿って移動可能な光ピックアップと、前記光ピックアップに取り付けられ、前記凹部に嵌め合わされた凸部を有するラック部と、前記ラック部に設けられ、前記ガイド軸に押し当てられる板バネと、を備え、前記光ピックアップは、前記リードスクリューが回転する際に前記凸部が前記凹部に沿って移動することにより、前記ガイド軸に沿って移動する。
【０００８】
本態様によれば、ラック部に設けられた板バネがガイド軸に押し当てられているので、例えば偏心した光ディスクが比較的高速で回転する場合であっても、光ピックアップがガイド軸に対して振動するのを抑制することができる。これにより、光ピックアップの電気的性能（読み取り性能及び書き込み性能等）を高めることができるとともに、ビビリ音の発生を抑制することができる。
【０００９】
例えば、本発明の一態様に係る光ディスク装置において、前記板バネは、前記ガイド軸に対して傾斜して延びているように構成してもよい。
【００１０】
本態様によれば、板バネはガイド軸に対して傾斜して延びているので、板バネを効果的にガイド軸に押し当てることができる。
【００１１】
例えば、本発明の一態様に係る光ディスク装置において、前記板バネの少なくとも前記ガイド軸に接触される部位は、樹脂で形成されているように構成してもよい。
【００１２】
本態様によれば、板バネの少なくともガイド軸に接触される部位は樹脂で形成されているので、光ピックアップが移動する際における板バネとガイド軸との間の摩擦抵抗を低減することができる。これにより、光ピックアップをガイド軸に沿ってスムーズに移動させることができる。
【００１３】
例えば、本発明の一態様に係る光ディスク装置において、前記ラック部及び前記板バネは、樹脂の一体成形により形成されているように構成してもよい。
【００１４】
本態様によれば、ラック部及び板バネは樹脂の一体成形により形成されているので、光ディスク装置の部品点数を抑えることができる。これにより、光ディスク装置の小型化及び軽量化を図ることができる。
【００１５】
例えば、本発明の一態様に係る光ディスク装置において、前記ラック部は、接続部を介して前記光ピックアップに取り付けられ、前記板バネは、前記ガイド軸を挟んで前記接続部と反対側に配置されているように構成してもよい。
【００１６】
本態様によれば、板バネはガイド軸を挟んで接続部と反対側に配置されているので、ラック部のクリープ変形が起こった場合であっても、板バネのバネ荷重が低下するのを抑制することができる。
【発明の効果】
【００１７】
本発明の一態様に係る光ディスク装置によれば、光ピックアップがガイド軸に対して振動するのを抑制することができる。
【図面の簡単な説明】
【００１８】
【図１】本発明の実施の形態に係る光ディスク装置を示す斜視図である。
【図２】本発明の実施の形態に係る光ディスク装置のディスクトレイ及びトラバースユニットを模式的に示す側面図である。
【図３】図２のトラバースユニットを示す平面図である。
【図４】ラック部及びその周辺の構成を上側から見た要部斜視図である。
【図５】ラック部及びその周辺の構成を下側から見た要部斜視図である。
【図６】図４中のＡ−Ａ線により切断したラック部の要部断面図である。
【図７】本実施の形態の光ディスク装置を約６５℃の温度下で貯蔵する実験で得られた、貯蔵時間と板バネのバネ荷重との関係を示すグラフである。
【発明を実施するための形態】
【００１９】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２０】
（実施の形態）
［光ディスク装置の構成］
まず、図１〜図６を参照しながら、本発明の実施の形態に係る光ディスク装置の構成について説明する。図１は、本発明の実施の形態に係る光ディスク装置を示す斜視図である。図２は、本発明の実施の形態に係る光ディスク装置のディスクトレイ及びトラバースユニットを模式的に示す側面図である。図３は、図２のトラバースユニットを示す平面図である。図４は、ラック部及びその周辺の構成を上側から見た要部斜視図である。図５は、ラック部及びその周辺の構成を下側から見た要部斜視図である。図６は、図４中のＡ−Ａ線により切断したラック部の要部断面図である。
【００２１】
図１に示すように、光ディスク装置２は、例えば、光ディスク６に記録された情報の再生及び光ディスク６への情報の記録を行うためのブルーレイディスク（ＢＤ：Ｂｌｕ−ｒａｙ  Ｄｉｓｃ（登録商標））レコーダである。なお、光ディスク６は、例えば、ブルーレイディスク、デジタル多用途ディスク（ＤＶＤ：Ｄｉｇｉｔａｌ  Ｖｅｒｓａｔｉｌｅ  Ｄｉｓｃ）又はコンパクトディスク（ＣＤ：Ｃｏｍｐａｃｔ  Ｄｉｓｃ）である。
【００２２】
図２に示すように、光ディスク装置２は、ディスクトレイ８と、ディスクトレイ８の下側に配置されたトラバースユニット１０と、を備えている。ディスクトレイ８及びトラバースユニット１０は、筐体４の内部に搭載されている。
【００２３】
ディスクトレイ８には、光ディスク６が回転可能に載置される。ディスクトレイ８の底部には、切り欠き部（図示せず）が設けられている。ディスクトレイ８は、筐体４の内部に設けられた駆動機構（図示せず）によって、Ｙ軸方向に往復移動可能である。具体的には、ディスクトレイ８は、筐体４の外部に引き出される引出し位置と、筐体４の内部に収納される収納位置との間を往復移動可能である。ディスクトレイ８が引出し位置に移動することにより、光ディスク６をディスクトレイ８に載置する（又は光ディスク６をディスクトレイ８から取り出す）ことができる。
【００２４】
トラバースユニット１０は、筐体４の内部に設けられた駆動機構（図示せず）によって、ディスクトレイ８の動作と連動してＺ軸方向に往復移動可能である。具体的には、ディスクトレイ８が引出し位置に移動した際には、トラバースユニット１０は、ディスクトレイ８から離隔する方向に移動する。一方、ディスクトレイ８が収納位置に移動した際には、トラバースユニット１０は、ディスクトレイ８に近接する方向に移動する。
【００２５】
トラバースユニット１０は、シャーシ１３を有している。このシャーシ１３には、スピンドルモータ１２が取り付けられている。スピンドルモータ１２の出力軸（図示せず）には、光ディスク６を保持するためのターンテーブル１４が取り付けられている。光ディスク６が載置されたディスクトレイ８が収納位置に移動した際に、トラバースユニット１０がディスクトレイ８に近接する方向に移動することにより、ターンテーブル１４は、上述した切り欠き部を通してディスクトレイ８の底部の上側に突出する。これにより、光ディスク６は、ターンテーブル１４に保持される。この状態で、スピンドルモータ１２によってターンテーブル１４が回転することにより、ターンテーブル１４に保持された光ディスク６が回転される。
【００２６】
図２及び図３に示すように、シャーシ１３には、さらに、ステッピングモータ１６（駆動源を構成する）が取り付けられている。ステッピングモータ１６の出力軸（図示せず）には、リードスクリュー１８が取り付けられている。リードスクリュー１８は、その長手方向が光ディスク６の半径方向（すなわち、Ｙ軸方向）に対して略平行となるように配置されている。リードスクリュー１８の外周面には、その長手方向に沿って螺旋状に延びる凹部２０が設けられている。リードスクリュー１８は、ステッピングモータ１６によって、図３中の矢印Ｐ及び矢印Ｑで示す方向に正逆回転可能である。
【００２７】
図３に示すように、シャーシ１３には、さらに、第１のガイド軸２２（ガイド軸を構成する）及び第２のガイド軸２４が取り付けられている。第１のガイド軸２２及び第２のガイド軸２４は、互いに略平行に且つ間隔を置いて配置されている。第１のガイド軸２２及び第２のガイド軸２４の各々は、リードスクリュー１８の長手方向に対して略平行に延びている。なお、第１のガイド軸２２及び第２のガイド軸２４はそれぞれ、例えばステンレス等の金属で形成されている。これら第１のガイド軸２２及び第２のガイド軸２４には、光ディスク６に記録された情報の読み出し及び光ディスク６への情報の書き込みを行うための光ピックアップ２６がＹ軸方向に往復移動可能に支持されている。
【００２８】
光ピックアップ２６の第１のガイド軸２２側における端部には、一対の第１の軸受け部２８ａ，２８ｂが設けられている。光ピックアップ２６の第２のガイド軸２４側における端部には、第２の軸受け部３０が設けられている。一対の第１の軸受け部２８ａ，２８ｂの各々は、第１のガイド軸２２に往復移動可能に支持されている。第２の軸受け部３０は、第２のガイド軸２４に往復移動可能に支持されている。これにより、光ピックアップ２６は、第１のガイド軸２２及び第２のガイド軸２４に沿って、図３中の矢印Ｔ及び矢印Ｕで示す方向に往復移動可能である。
【００２９】
光ピックアップ２６には、ＢＤ用の光学系と、ＤＶＤ及びＣＤ用の光学系とが設けられている。光ディスク６がＢＤである場合には、ＢＤ用の光学系が用いられ、光ディスク６がＤＶＤ又はＣＤである場合には、ＤＶＤ及びＣＤ用の光学系が用いられる。
【００３０】
ＢＤ用の光学系は、第１の光源（図示せず）、第１の対物レンズ３２及び第１の受光部（図示せず）を含んでいる。第１の光源は、ＢＤ用のレーザ光（例えば、波長４０５ｎｍ帯のレーザ光）を出力する。第１の対物レンズ３２は、第１の光源からのレーザ光を、ディスクトレイ８の切り欠き部を通して光ディスク６の情報記録面に集光する。第１の受光部は、光ディスク６の情報記録面で反射されたレーザ光を、ディスクトレイ８の切り欠き部を通して受光する。
【００３１】
ＤＶＤ及びＣＤ用の光学系は、第２の光源（図示せず）、第２の対物レンズ３４及び第２の受光部（図示せず）を含んでいる。第２の光源は、ＤＶＤ用のレーザ光（例えば、波長６５０ｎｍ帯のレーザ光）とＣＤ用のレーザ光（例えば、波長７８０ｎｍ帯のレーザ光）とを切り替えて出力する。第２の対物レンズ３４は、第２の光源からのレーザ光を、ディスクトレイ８の切り欠き部を通して光ディスク６の情報記録面に集光する。第２の受光部は、光ディスク６の情報記録面で反射されたレーザ光を、ディスクトレイ８の切り欠き部を通して受光する。
【００３２】
光ピックアップ２６には、リードスクリュー１８の回転運動を光ピックアップ２６の直線運動に変換するためのラック部３６が取り付けられている。ラック部３６は、取付部３８、移動部４０及び一対の接続部４２を有している。
【００３３】
図４に示すように、取付部３８は、第１の取付部３８ａ及び第２の取付部３８ｂで構成されている。第１の取付部３８ａは、ネジ４４（接続部を構成する）を介して光ピックアップ２６の上面に取り付けられている。第２の取付部３８ｂは、第１の取付部３８ａに対して略垂直に延びており、第１の取付部３８ａの一端部からディスクトレイ８とは反対側に延びている。
【００３４】
図４及び図５に示すように、本実施の形態の光ディスク装置２の特徴的な構成として、第２の取付部３８ｂには板バネ４６が設けられている。板バネ４６は、第１のガイド軸２２を挟んで第１の取付部３８ａ及び光ピックアップ２６の接続部（すなわち、ネジ４４）と反対側に配置されている。板バネ４６は、長板状に構成されており、弾性復元力を有している。板バネ４６は、第１のガイド軸２２に対して傾斜して延びており、その先端部は、第１のガイド軸２２に弾性的に押し当てられている。これにより、第１のガイド軸２２は、上記接続部及び板バネ４６により上下から挟持されている。なお、本実施の形態では、ラック部３６及び板バネ４６は、樹脂（例えば、ポリアセタール等）の一体成形により形成されている。
【００３５】
移動部４０は、リードスクリュー１８に往復移動可能に装着されている。移動部４０は、一対の接続部４２を介して第２の取付部３８ｂに接続されている。図６に示すように、移動部４０の内面には、リードスクリュー１８の凹部２０に嵌め合わされた一対の凸部４８が設けられている。リードスクリュー１８が回転することにより、一対の凸部４８の各々は、リードスクリュー１８の凹部２０に沿って移動する。これにより、移動部４０は、リードスクリュー１８に沿って移動する。
【００３６】
［トラバースユニットの動作］
次に、上述したトラバースユニット１０の動作について説明する。リードスクリュー１８が図３中の矢印Ｐで示す方向に回転する際には、移動部４０は、図３中の矢印Ｒで示す方向にリードスクリュー１８に沿って移動する。この移動部４０の移動に伴って、光ピックアップ２６は、図３中の矢印Ｔで示す方向に、光ディスク６の内周部から外周部に向けて直線的に移動する。
【００３７】
一方、リードスクリュー１８が図３中の矢印Ｑで示す方向に回転する際には、移動部４０は、図３中の矢印Ｓで示す方向にリードスクリュー１８に沿って移動する。この移動部４０の移動に伴って、光ピックアップ２６は、図３中の矢印Ｕで示す方向に、光ディスク６の外周部から内周部に向けて直線的に移動する。
【００３８】
［効果］
次に、本実施の形態の光ディスク装置２により得られる効果について説明する。上述したように、ラック部３６に設けられた板バネ４６が第１のガイド軸２２に弾性的に押し当てられているので、例えば偏心した光ディスク６が比較的高速で回転する場合であっても、光ピックアップ２６が第１のガイド軸２２に対して振動するのを抑制することができる。これにより、光ピックアップ２６の電気的性能（読み取り性能及び書き込み性能等）を高めることができるとともに、ビビリ音の発生を抑制することができる。
【００３９】
さらに、板バネ４６は樹脂で形成されているので、光ピックアップ２６が移動する際における板バネ４６と第１のガイド軸２２との間の摩擦抵抗を低減することができる。これにより、光ピックアップ２６を第１のガイド軸２２及び第２のガイド軸２４に沿ってスムーズに移動させることができる。
【００４０】
図７は、本実施の形態の光ディスク装置２を約６５℃の温度下で貯蔵する実験で得られた、貯蔵時間と板バネ４６のバネ荷重との関係を示すグラフである。一般に、樹脂で形成された板バネ４６は、高温下に長時間晒された場合には、クリープ変形によりバネ荷重が徐々に低下する傾向にある。本実施の形態の光ディスク装置２では、板バネ４６は、第１のガイド軸２２を挟んで第１の取付部３８ａ及び光ピックアップ２６の接続部と反対側に配置されている。これにより、ラック部３６のクリープ変形が起こった場合であっても、ラック部３６は、上記接続部及び板バネ４６が第１のガイド軸２２を上下から挟持する方向に圧縮される。そのため、光ディスク装置２を約６５℃の温度下で貯蔵する実験において、図７に示すように、板バネ４６のバネ荷重は、貯蔵開始直後に急激に低下し、その後緩やかに低下し続けた。光ディスク装置２を約６５℃の温度下で約１２０時間貯蔵し続けた場合であっても、板バネ４６のバネ荷重は、第１のガイド軸２２に対する光ピックアップ２６の振動を抑制するのに必要な閾値よりも高い値を保っていた。従って、本実施の形態の光ディスク装置２を例えば輸送コンテナ内等の高温度下で長時間貯蔵する場合であっても、板バネ４６のバネ荷重が低下するのを抑制することができることが理解される。
【００４１】
以上、本発明の実施の形態に係る光ディスク装置について説明したが、本発明は、これらの実施の形態に限定されるものではない。
【００４２】
上記実施の形態では、光ディスク装置はブルーレイディスクレコーダであるが、これに限られず、例えば光ディスクに記録された情報の再生を行うためのブルーレイディスクプレーヤでもよい。あるいは、光ディスク装置は、例えばＤＶＤレコーダ、ＤＶＤプレーヤ又はＣＤプレーヤ等でもよい。
【００４３】
上記実施の形態では、板バネ及びラック部を樹脂の一体成形で形成したが、板バネを金属で形成するとともに、板バネの先端部（すなわち、第１のガイド軸に接触される部位）のみを樹脂で形成してもよい。
【００４４】
上記実施の形態では、ラック部に凸部を２個設けたが、凸部を１個のみ設けることもできる。
【産業上の利用可能性】
【００４５】
本発明の光ディスク装置は、例えば、ブルーレイディスクレコーダ等として適用することができる。
【符号の説明】
【００４６】
２  光ディスク装置
４  筐体
６  光ディスク
８  ディスクトレイ
１０  トラバースユニット
１２  スピンドルモータ
１３  シャーシ
１４  ターンテーブル
１６  ステッピングモータ
１８  リードスクリュー
２０  凹部
２２  第１のガイド軸
２４  第２のガイド軸
２６  光ピックアップ
２８ａ，２８ｂ  第１の軸受け部
３０  第２の軸受け部
３２  第１の対物レンズ
３４  第２の対物レンズ
３６  ラック部
３８  取付部
３８ａ  第１の取付部
３８ｂ  第２の取付部
４０  移動部
４２  接続部
４４  ネジ
４６  板バネ
４８  凸部
【図１】
2014146389.tif 000003
【図２】
2014146389.tif 000004
【図３】
2014146389.tif 000005
【図４】
2014146389.tif 000006
【図５】
2014146389.tif 000007
【図６】
2014146389.tif 000008
【図７】
2014146389.tif 000009